(57)【要約】【課題】ハンドオーバー時に大量のデータを転送する場合、ネットワークを輻輳させることなく、ハンドオーバー時のデータ停止時間を短縮させる。【解決手段】移動通信システムにおいて、移動局と通信を行う複数の基地局と、複数の基地局とコアネットワークとの通信を中継するアクセスゲートウェイと、通常のデータの送信に用いる送信キューと、基地局間データ転送のデータの送信に用いる優先送信キューと、複数の基地局間でハンドオーバーする場合にデータ転送の実施の要否を判定し、データ転送の実施が必要な場合に優先送信キューを用いてデータ転送する制御手段を有する。【選択図】図３
2011015306.tif 000002
【特許請求の範囲】
【請求項１】
移動局と通信を行う複数の基地局と、複数の基地局とコアネットワークとの通信を中継するアクセスゲートウェイと、通常のデータの送信に用いる送信キューと、基地局間データ転送のデータの送信に用いる優先送信キューと、複数の基地局間でハンドオーバーする場合にデータ転送の実施の要否を判定し、データ転送の実施が必要な場合に、該優先送信キューを用いてデータ転送する制御手段とを有することを特徴とする移動通信システム。
【請求項２】
前記送信キュー、前記優先送信キュー及び前記制御手段は、前記基地局又は前記アクセスゲートウェイに備えられることを特徴とする請求項１の移動通信システム。
【請求項３】
移動局と通信を行う複数の基地局と、複数の基地局とコアネットワークとの通信を中継するアクセスゲートウェイと、通常のデータの送信に用いる送信キューと、基地局間データ転送のデータの送信に用いる優先送信キューを有する移動通信システムにおけるデータ転送方法であって、
該移動局が第１の基地局から第２の基地局へハンドオーバーする場合、第２の基地局と該移動局との間で無線チャネルを設定するステップと、
第１の基地局は、該移動局への下りのデータが受信バッファに存在しているかを判定するステップと、
該判定の結果、該受信バッファに下りのデータが存在している場合、該データを該優先送信キューにエンキューするステップと、
該第１の基地局は、該優先送信キューからデキューしたデータを該第２の基地局へ転送するステップと、
ハンドオーバー指示を受けた該移動局と該第２の基地局との間で確立された無線チャネルを用いて、該受信バッファ内にあるデータを該移動局へ送信するステップとを有することを特徴とするデータ転送方法。
【請求項４】
移動局と通信を行う複数の基地局と、複数の基地局とコアネットワークとの通信を中継するアクセスゲートウェイ（ＡＧＷ）と、通常のデータの送信に用いる送信キューと、基地局間データ転送のデータの送信に用いる優先送信キューを有する移動通信システムにおけるデータ転送方法であって、
該移動局が第１の基地局から第２の基地局へハンドオーバーする場合、第２の基地局と該移動局との間で無線チャネルを設定するステップと、
第１の基地局は、該移動局への下りのデータが受信バッファに存在しているかを判定するステップと、
第１の基地局は、該ＡＧＷに対して、該移動局への下りデータを該第２の基地局へ転送するために、データ再送指示を送信し、該移動局に対してハンドオーバー指示を送信するステップと、
該データ転送指示を受信した該ＡＧＷは、該移動局への下りデータを、該第２の基地局へ転送するために該優先送信キューにエンキューするステップと、
該ＡＧＷは、該優先送信キューからデキューしたデータを該第２の基地局へ再送するステップと、
該第２の基地局は、該ＡＧＷから送信された該再送データを受信して受信バッファに格納するステップと、
ハンドオーバー指示を受けた該移動局と該第２の基地局との間で確立された無線チャネルを用いて、該受信バッファ内にあるデータを該移動局へ送信するステップと、
ハンドオーバーが完了したとき、該ＡＧＷは、該送信キューからデキューしたデータを該第２の基地局へ転送するステップと、
該第２の基地局は、該ＡＧＷから転送されたデータを該移動局へ送信するステップと、
を有することを特徴とするデータ転送方法。
【発明の詳細な説明】
【技術分野】
【０００１】
本発明は、移動通信システム及びデータ転送方法に係り、特に移動局のハンドオーバー時における基地局間のデータ転送の制御に関する。
【背景技術】
【０００２】
近年、注目されているＯＦＤＭＡ(Orthogonal Frequency Division Multiple Access)による無線通信方式は、従来のＣＤＭＡ(Code Division Multiple Access)及び従前の無線通信方式と比べて、１００倍程度のピークレートを実現することができる。例えば、ｃｄｍａ２０００ １ｘＥＶ−ＤＯ Ｒｅｖｉｓｉｏｎ Ａでは下りデータのピークレートが３．１Ｍｂｐｓであるのに対し、ＯＦＤＭＡをベースとした無線方式の採用が提案されているＬＴＥ(Long Term Evolution)では、下りデータのピークレートが１００Ｍｂｐｓ以上になる。
【０００３】
このように無線通信方式の技術が進むにつれてピークレートは増大し、ハンドオーバー等の要因で無線が瞬断した場合に滞留するデータ量が増加するようになる。このため、近年の移動通信システムでは、ハンドオーバー時の基地局間のデータ転送はより重要となっている。例えば、非特許文献１では、ハンドオーバー時に基地局間でデータ転送を行うためのトンネリング設定手順を規定している。また、特許文献１では、ハンドオーバー時に発生するデータ転送パケットのＣｏＳ(Class of Service)あるいはＤＳＣＰ(DiffServ Code Point)を制御することで、レイヤ２スイッチあるいはレイヤ３スイッチにおける従来技術であるＱｏＳ機能を利用して、データ転送パケットを優先的に処理させるための方法が開示されている。
【先行技術文献】
【特許文献】
【０００４】
【特許文献１】特開２００７−１２９５９１公報
【非特許文献】
【０００５】
【非特許文献１】３ＧＰＰ ＴＳ ３６．４２３ Ｖ８．０．０
【発明の概要】
【発明が解決しようとする課題】
【０００６】
上記従来のデータ転送方法によれば、無線通信システムの構成するネットワークにおいて、レイヤ２スイッチあるいはレイヤ３スイッチは、通常のデータと転送データを識別することができ、転送データを優先的に処理することで、ハードハンドオーバー時のデータ停止時間を短縮することが可能である、としている。しかし、ピークレートの増大に伴って転送データ量が増加すると、優先的に処理すべきパケットが増加し、ネットワークの輻輳を解消できないことが懸念される。然るに、特許文献１および非特許文献１に記載された従来技術には、大量のデータを転送することによりネットワークが輻輳する可能性について考慮されていない。
【０００７】
本発明の目的は、ハンドオーバー時に大量のデータを転送する場合、ネットワークを輻輳させることなく、ハンドオーバー時のデータ停止時間を短縮させることにある。
【課題を解決するための手段】
【０００８】
本発明に係る移動通信システムは、好ましくは、移動局と通信を行う複数の基地局と、複数の基地局とコアネットワークとの通信を中継するアクセスゲートウェイと、通常のデータの送信に用いる送信キューと、基地局間データ転送のデータの送信に用いる優先送信キューと、複数の基地局間でハンドオーバーする場合にデータ転送の実施の要否を判定し、データ転送の実施が必要な場合に優先送信キューを用いてデータ転送する制御手段を有する移動通信システムとして構成される。
【０００９】
本発明に係るデータ転送方法は、好ましくは、移動局と通信を行う複数の基地局と、複数の基地局とコアネットワークとの通信を中継するアクセスゲートウェイと、通常のデータの送信に用いる送信キューと、基地局間データ転送のデータの送信に用いる優先送信キューを有する移動通信システムにおけるデータ転送方法であって、該移動局が第１の基地局から第２の基地局へハンドオーバーする場合、第２の基地局と該移動局との間で無線チャネルを設定するステップと、第１の基地局は、該移動局への下りのデータが受信バッファに存在しているかを判定するステップと、該判定の結果、該受信バッファに下りのデータが存在している場合、該データを該優先送信キューにエンキューするステップと、該第１の基地局は、該優先送信キューからデキューしたデータを該第２の基地局へ転送するステップと、ハンドオーバー指示を受けた該移動局と該第２の基地局との間で確立された無線チャネルを用いて、該受信バッファ内にあるデータを該移動局へ送信するステップとを有することを特徴とするデータ転送方法として構成される。
【００１０】
また、本発明に係るデータ転送方法は、好ましくは、移動局と通信を行う複数の基地局と、複数の基地局とコアネットワークとの通信を中継するアクセスゲートウェイ（ＡＧＷ）と、通常のデータの送信に用いる送信キューと、基地局間データ転送のデータの送信に用いる優先送信キューを有する移動通信システムにおけるデータ転送方法であって、
該移動局が第１の基地局から第２の基地局へハンドオーバーする場合、第２の基地局と該移動局との間で無線チャネルを設定するステップと、第１の基地局は、該移動局への下りのデータが受信バッファに存在しているかを判定するステップと、第１の基地局は、該ＡＧＷに対して、該移動局への下りデータを該第２の基地局へ転送するために、データ再送指示を送信し、該移動局に対してハンドオーバー指示を送信するステップと、該データ転送指示を受信した該ＡＧＷは、該移動局への下りデータを、該第２の基地局へ転送するために該優先送信キューにエンキューするステップと、該ＡＧＷは、該優先送信キューからデキューしたデータを該第２の基地局へ再送するステップと、該第２の基地局は、該ＡＧＷから送信された該再送データを受信して受信バッファに格納するステップと、ハンドオーバー指示を受けた該移動局と該第２の基地局との間で確立された無線チャネルを用いて、該受信バッファ内にあるデータを該移動局へ送信するステップと、ハンドオーバーが完了したとき、該ＡＧＷは、該送信キューからデキューしたデータを該第２の基地局へ転送するステップと、該第２の基地局は、該ＡＧＷから転送されたデータを該移動局へ送信するステップとを有することを特徴とするデータ転送方法として構成される。
【発明の効果】
【００１１】
本発明によれば、ハンドオーバー時に大量のデータを転送する場合でも、ネットワークを輻輳させることなく、ハンドオーバー時のデータ停止時間を短縮させることが可能である。
【図面の簡単な説明】
【００１２】
【図１】本発明の一実施形態による移動通信システムの構成例を示す図である。
【図２】一実施形態による移動局２０の構成例を示すブロック図である。
【図３】一実施形態による基地局３０の構成例を示すブロック図である。
【図４】一実施形態によるアクセスゲートウェイ４０の構成例を示すブロック図である。
【図５】従来の移動通信システムにおけるデータ送受信の一例を示すシーケンス図である。
【図６】一実施形態（第１実施例）によるデータ送受信の一例を示すシーケンス図である。
【図７】第１実施例におけるデータ転送実施判定の動作の一例を示すフロー図である。
【図８】第１実施例における基地局網ＩＦ部３６０の動作の一例を示すフロー図である。
【図９】一実施形態（第２実施例）によるデータ送受信の一例を示すシーケンス図である。
【図１０】第２実施例におけるデータ転送実施判定の動作の一例を示すフロー図である。
【図１１】第３実施例によるＡＧＷ４０の構成例を示すブロック図である。
【図１２】第３実施例におけるＡＧＷ４０によるデータ送受信の一例を示すシーケンス図である。
【発明を実施するための形態】
【００１３】
以下、図面を参照して、本発明の実施形態を詳細に説明する。
図１は、一実施形態による移動通信システムの構成例を示す。
移動通信システムは、複数の移動局２０と、移動局２０と無線チャネル接続し、電波到達範囲でそれぞれセル１０１、１０２を形成する複数の基地局３０−１、３０−２（総称して３０と示すことがある）と、アクセスゲートウェイ（以下ＡＧＷという）４０と、基地局３０間および基地局３０とＡＧＷ４０間のパケットを中継する基地局ネットワーク１１０により構成される。
セル１０１の内部に位置する移動局２０−１、２０−２aは、基地局３０−１を通してＡＧＷ４０に接続される。ＡＧＷ４０はコアネットワーク１２０を通してＡＡＡ(Authentication, Authorization, and Accounting)１３０から移動局２０の固有情報を取得し、さらに移動局２０と通信相手１４０との通信を制御する。
【００１４】
図２は、移動局２０の構成例を示す。
移動局２０は、アンテナ２００、ＲＦ部２１０、信号変換部２２０、制御部２３０、記憶装置２４０、および周辺装置部２５０で構成され、基地局３０と無線チャネルを設定することによりデータ通信を行う。ＲＦ部２１０は、アンテナ２００を介して基地局３０との無線信号を送受する。信号変換部２２０は、無線信号の変復調処理を行う。制御部２３０は、基地局３０との無線チャネルの設定および解放の処理を行う。記憶装置２４０はプログラムの動作に必要な各種データを格納する。周辺装置部２５０は、入力を行うためのボタンで構成される入力部２５１、メッセージ等の情報を表示するＬＣＤやＬＥＤからなる表示部２５２、およびスピーカ２５３を備える。
【００１５】
図３は、基地局３０の構成例を示す。
基地局３０は、アンテナ３００、ＲＦ部３１０、信号変換部３２０、パケット処理部３３０、制御部３４０、記憶装置３５０、および基地局網ＩＦ部３６０で構成され、移動局２０と無線チャネルを設定することによりデータ通信を行う。ＲＦ部３１０は、アンテナ３００を介して移動局２０との無線信号を送受する。信号変換部３２０は無線信号の変復調処理を行う。パケット処理部３３０はパケット解析やプロトコル変換などの所定の通信処理を行う。
【００１６】
制御部３４０は、移動局２０との無線チャネルの設定および解放処理を行う無線制御部３４１、バッファ算出部３４２、スケジューラ３４３、及びデータ転送実施判定部３４４を備える。バッファ算出部３４２は、移動局２０との通信に必要なバッファ量の算出を行う。スケジューラ３４３は、移動局２０へ無線送信するパケットのスケジューリングを行う。データ転送実施判定部３４４は、移動局２０がハンドオーバーした場合、ハンドオーバー先の基地局に対してデータ転送実施の要否を判定する。
記憶装置３５０は、プログラムの動作に必要な各種データを格納するほか、移動局２０との通信に必要なバッファ量を管理するバッファ管理テーブル３５１と、移動局２０との通信に用いる受信バッファ３６１を備える。基地局網ＩＦ部３６０は、基地局ネットワーク１１０とのインタフェースをとり、ＡＧＷ４０への上りデータのパケットをエンキューする送信キュー３６１と、隣接基地局への転送データのパケットをエンキューする優先送信キュー３６２を備える。
【００１７】
図４は、ＡＧＷ４０の構成例を示す。
ＡＧＷ４０は、基地局網ＩＦ部４１０、パケット処理部４２０、制御部４３０、記憶装置４４０、および公衆網ＩＦ部４５０で構成される。基地局網ＩＦ部４１０は、基地局ネットワーク１１０とのインタフェースをとり、送信キュー４１１を備える。パケット処理部４２０は、パケット解析やプロトコル変換などの所定の通信処理を行う。制御部４３０は、移動局２０との通信を制御する通信制御部４３１と、移動局２０との通信に必要なバッファ量の算出を行うバッファ算出部４３２を備える。
記憶装置４４０は、プログラムの動作に必要な各種データを格納するほか、移動局２０との通信に必要なバッファ量を管理するバッファ管理テーブル４４１と、移動局２０との通信に用いる受信バッファ４４２を備える。公衆網ＩＦ部４５０は、コアネットワーク１２０とのインタフェースをとり、送信キュー４５１を備える。
【００１８】
次に、本発明の第１実施例による、移動通信システムにおけるデータ転送動作について説明する。
以下の例は、移動局２０−１がセル１０１でＡＧＷ４０と接続している状態で、同じくセル１０１でＡＧＷ４０と接続している別の移動局２０−２が、セル１０２へ向けて２０−２ａ、２０−２ｂ、２０−２ｃと移動し、基地局３０−１と基地局３０−２との間でハンドオーバーした場合について、図５および図６を参照して詳細に説明する。
【００１９】
図５は、従来の移動通信システムにおける、基地局３０−１が通常の上りデータおよび通常の下りデータを処理する場合のシーケンス図である。
移動局２０−１からの上りデータ（５０１）を受信した基地局３０−１は、信号変換やパケット処理などの所定の受信処理（５０２）を行った後、ＡＧＷ４０へ転送するために送信キュー３６１にエンキューする（５０３）。送信キュー３６１の内部にあるデータは、基地局ネットワーク１１０の転送レートに従ってデキューされ（５０４）、ＡＧＷ４０へ転送される（５０５）。
移動局２０−２への下りデータ（５０６）を受信した移動局３０−１は、データを受信バッファ３５２へ格納する（５０７）。受信バッファ３５２の内部にあるデータは、スケジューラによってパケット処理や信号変換などの所定の送信処理（５０８）を行った後、移動局２０−２へ送信される（５０９）。
【００２０】
図６は、本発明の第１実施例によるデータ送受信の一例を示すシーケンス図である。
この例は、基地局３０−１が通常の上りデータよりもハンドオーバー時の転送データを先に処理する例である。移動局２０−２が基地局３０−１から基地局３０−２へハンドオーバーするにあたり、移動局２０−２への下りデータ（６０１）が受信バッファ３５２に存在し（６０２）、移動局２０−１からの上りデータ（６０３）が送信キュー３６１に存在している（６０４〜６０５）場合について説明する。
【００２１】
セル１０１で接続中である移動局２０−２は、２０−２ａから２０−２ｂ、２０−２ｃへの移動に伴って、セル１０２を形成する基地局３０−２へのハンドオーバー要求（６０６）を、基地局３０−１へ送信する。ハンドオーバー要求を受信した基地局３０−１は、基地局３０−２に対して、チャネル設定指示（６０７）を送信する。チャネル設定指示を受信した基地局３０−２は、移動局２０−２との無線チャネルを設定し、基地局３０−１に対して、チャネル設定完了（６０８）を送信する。
チャネル設定完了を受信した基地局３０−１は、移動局２０−２についてデータ転送の実施の要否を判定する（６０９）。移動局２０−２への下りデータが受信バッファ３５２に存在しているので、移動局２０−２についてデータ転送の実施は、必要と判定する。受信バッファ３５２に格納されている下りデータは、基地局３０−２へ転送するために優先送信キュー３６２にエンキューされ（６１０）、移動局２０−２に対して、ハンドオーバー指示（６１１）を送信する。
【００２２】
基地局網ＩＦ部３６０は、優先送信キュー３６２からデキュー（６１２）したデータを基地局３０−２へ転送する（６１３）。基地局３０−１からのデータ転送を受けた基地局３０−２は、当該データを受信バッファ３５２に格納する（６１４）。ハンドオーバー指示を受けた移動局２０−２と、基地局３０−２との間で無線チャネルが確立すると（６１５）、受信バッファ３５２の内部にあるデータが、スケジューラ３４３によって、パケット処理や信号変換などの所定の送信処理（６１６）を行った後、移動局２０−２へ無線送信され（６１７）、基地局３０−２とＡＧＷ４０とのデータパスを確立（６１８）して、基地局３０−１から基地局３０−２へのハンドオーバーを完了する。基地局網ＩＦ部３６０は、送信キュー３６１からデキュー（６１９）したデータをＡＧＷ４０へ転送する（６２０）。なお、ステップ６１５〜６１８の処理と、ステップ６１９〜６２０の処理は、順不同である。
【００２３】
データ転送実施判定部３４４による、データ転送の実施の要否を判定する動作について、図７を用いて説明する。データ転送実施判定部３４４は、チャネル設定完了の受信を契機に処理を開始する。受信バッファ３６１にデータが存在するか判定した結果（Ｓ７０１）、もし受信バッファ３６１にデータが存在すれば、当該データをバッファから取り出して優先送信キュー３６２にエンキューして（Ｓ７０２）、処理を終了する。一方、ステップＳ７０１による判定の結果、受信バッファ３５２にデータが存在しなければ、そのまま処理を終了する。
【００２４】
次に、基地局網ＩＦ部３６０による、送信キュー３６１と優先送信キュー３６２からデータをデキューする動作について、図８を用いて説明する。基地局網ＩＦ部３６０は、基地局ネットワーク１１０の転送レートに従って、パケット送信処理を開始する。
優先送信キュー３６２にデータが存在するか判定し（Ｓ８０２）、その結果、優先送信キュー３６２にデータが存在すれば、優先送信キュー３６２からデキューしたパケットを送信して（Ｓ８０２）、処理を終了する。一方、ステップＳ８０１の判定の結果、優先送信キュー３６２にデータが存在しなければステップＳ８０３へ移る。そして、送信キュー３６１にデータが存在するか判定して（Ｓ８０３）、その結果、送信キュー３６１にデータが存在すれば、送信キューからデキューしたパケットを送信して（Ｓ８０４）、処理を終了する。一方、送信キュー３６１にデータが存在しなければ、そのまま処理を終了する。
【００２５】
次に、本発明の第２の実施例について説明する。第２の実施例では、優先送信キューにエンキューするデータ量を、ハンドオーバー先基地局の受信バッファ量に基づいて決定する。
図９は、基地局３０−１がハンドオーバー時のデータ転送量をハンドオーバー先基地局のバッファ量に基づいて決定することを示すシーケンス図である。ステップＳ６０７までは、図６のシーケンスと同様であり、説明を省略する。
【００２６】
チャネル設定指示（６０７）を受信した基地局３０−２は、移動局２０−２との無線チャネルを設定しつつ、受信バッファ量を算出し（９０１）、基地局３０−１に対して、バッファ量通知（９０２）を送信する。バッファ量通知を受信した基地局３０−１は、移動局２０−２についてデータ転送の実施の要否を判定する（９０３）。移動局２０−２への下りデータが受信バッファ３６１に存在しているので、移動局２０−２についてデータ転送の実施は、必要と判定する。受信バッファ３５２に格納されている下りデータのうち、バッファ量通知で通知されたバッファに格納できる分のデータについては、優先送信キュー３６２にエンキューし（９０４）、バッファ量通知で通知されたバッファを上回る分のデータについては、送信キュー３６１にエンキューして（９０５）、移動局２０−２に対して、ハンドオーバー指示（６１１）を送信する。なお、受信バッファ３５２に格納されている下りデータが、バッファ量通知で通知されたバッファに格納できる量であった場合は、ステップ９０５を省略する。
【００２７】
基地局網ＩＦ部３６０は、優先送信キュー３６２からデキュー（６１２）したデータを基地局３０−２へ転送する（６１３）。基地局３０−１からのデータ転送を受けた基地局３０−２は、データを受信バッファ３５２へ格納する（６１４）。基地局網ＩＦ部３６０は、優先送信キュー３６２が空になると、送信キュー３６１からデキューを始める。送信キュー３６１は、ステップ６０５、９０５の順にエンキューしており、移動局２０−１からの上りデータを先にデキュー（９０６）して、ＡＧＷ４０へ転送する（９０７）。続いて、移動局３０−２へ転送するためにステップ９０５でエンキューしたデータをデキュー（９０８）して、基地局３０−２へ転送する（９０９）。基地局３０−１からのデータ転送を受けた基地局３０−２は、データを受信バッファ３５２に格納する（９１０）。
【００２８】
次に、データ転送実施判定部３４４による、データ転送の実施の要否を判定する動作について、図１０を用いて説明する。データ転送実施判定部３４４は、バッファ量通知の受信を契機に、通知されたバッファ量Ｎを入力して処理を開始する。受信バッファ３５２にデータが存在するか判定し（Ｓ１１０１）、その結果、受信バッファ３５２にデータが存在する場合には、当該データ量をＸに代入する（Ｓ１００２）。そして、ＸとＮの大小を比較して（Ｓ１００３）、その結果Ｘの方が大きければ、データの前半部分（１〜Ｎ）をバッファから取り出して優先送信キュー３６２にエンキューし（Ｓ１００４）、データの後半部分（Ｎ＋１〜Ｘ）をバッファから取り出して送信キュー３６１にエンキューして（Ｓ１００５）、処理を終了する。
一方、ステップＳ１００３の判定において、ＸがＮ以下の場合は、データを分割せずにバッファから取り出して優先送信キュー３６２にエンキューして（Ｓ１００６）、処理を終了する。なお、ステップＳ１００１において、受信バッファ３５２にデータが存在しない場合は、そのまま処理を終了する。
このように、第２の実施例によれば、ハンドオーバー時のデータ転送を優先して行うことができ、また、大量のデータ転送を伴うハンドオーバーの場合であっても、通常の上りデータの遅延量が増大するのを回避することができる。
【００２９】
次に、第３実施例について説明する。この例は、上述の第１及び第２実施例における基地局間のデータ転送を、アクセスゲートウェイ（ＡＧＷ）４０を介して実施する例である。
図１１は、ＡＧＷ４０を介して基地局間のデータ転送を実施する、ＡＧＷ４０の構成例を示す。図示のように、ＡＧＷ４０を介して基地局間のデータ転送を行う場合は、基地局網ＩＦ部４１０に優先送信キュー４１２と、制御部４３０に再送制御部４３３と、記憶装置４４０に再送バッファ４４３とを備える点が、図４で示したＡＧＷ４０の構成例と異なる。
移動局２０−３がセル１０２でＡＧＷ４０と接続している状態で、セル１０１でＡＧＷ４０と接続している別の移動局２０−２が、セル１０２へ向けて２０−２ａ、２０−２ｂ、２０−２ｃと移動し、基地局３０−１と基地局３０−２との間でハンドオーバーした場合について、図１２を参照して詳細に説明する。
【００３０】
図１２は、ＡＧＷ４０が、通常の下りデータよりもハンドオーバー時の再送データを先に処理するシーケンス図である。移動局２０−２が基地局３０−１から基地局３０−２へハンドオーバーするにあたり、移動局２０−２への下りデータ（１２０１）が基地局３０−１の受信バッファ３５２に存在し（１２０２）、移動局２０−３への下りデータ（１２０３）が送信キュー４１１に存在している（１２０４）場合で説明する。
【００３１】
セル１０１で接続中である移動局２０−２は、２０−２ａから２０−２ｂ、２０−２ｃへの移動に伴って、セル１０２を形成する基地局３０−２へのハンドオーバー要求（１２０５）を、基地局３０−１へ送信する。ハンドオーバー要求を受信した基地局３０−１は、基地局３０−２に対して、チャネル設定指示（１２０６）を送信する。チャネル設定指示を受信した基地局３０−２は、移動局２０−２との無線チャネルを設定し、基地局３０−１に対して、チャネル設定完了（１２０７）を送信する。チャネル設定完了を受信した基地局３０−１は、移動局２０−２についてデータ転送の実施の要否を判定する（１２０８）。移動局２０−２への下りデータが受信バッファ３５２に存在しているので、移動局２０−２についてデータ転送の実施は、必要と判定する。基地局３０−１は、ＡＧＷ４０に対して、移動局２０−２への下りデータを基地局３０−２へ転送するために、データ再送指示（１２０９）を送信し、移動局２０−２に対して、ハンドオーバー指示（１２１０）を送信する。データ転送指示を受信したＡＧＷ４０は、移動局２０−２への下りデータを、基地局３０−２へ転送するために優先送信キュー４１２にエンキューする（１２１１〜１２１２）。
【００３２】
基地局網ＩＦ部４１０は、優先送信キュー４１２からデキュー（１２１３）したデータを基地局３０−２へ再送する（１２１４）。ＡＧＷ４０からの再送データを受けた基地局３０−２は、当該データを受信バッファ３５２に格納する（１２１５）。ハンドオーバー指示を受けた移動局２０−２と、基地局３０−２との間で無線チャネルが確立すると（１２１６）、受信バッファ３５２の内部にあるデータが、スケジューラ３４３によって、パケット処理や信号変換などの所定の送信処理を行ったのち、移動局２０−２へ無線送信され（１２１７）、基地局３０−２とＡＧＷ４０とのデータパスを確立（１２１８）して、基地局３０−１から基地局３０−２へのハンドオーバーを完了する。基地局網ＩＦ部４１０は、送信キュー４１１からデキュー（１２１９）したデータを基地局３０−２へ転送する（１２２０）。ＡＧＷ４０からのデータ転送を受けた基地局３０−２は、当該データを移動局２０−３へ無線送信する（１２２１）。なお、ステップ１２１６〜１２１８の処理と、ステップ１２１９〜１２２１の処理は、順不同である。
【符号の説明】
【００３３】
２０−１〜２０−３、２０：移動局  ３０−１〜３０−２、３０：基地局  ４０：アクセスゲートウェイ  １０１，１０２：セル  １１０：基地局ネットワーク  １２０：コアネットワーク  １３０：ＡＡＡ  １４０：通信相手  
２００：アンテナ  ２１０：ＲＦ部  ２２０：信号変換部  ２３０：制御部  ２４０：記憶装置  ２５０：周辺装置  ２５１：入力部  ２５２：表示部  ２５３：スピーカ  
３００：アンテナ  ３１０：ＲＦ部  ３２０：信号変換部  ３３０：パケット処理部  ３４０：制御部  ３４１：無線制御部  ３４２：バッファ算出部  ３４３：スケジューラ  ３４４：データ転送実施判定部  ３５０：記憶装置  ３５１：バッファ管理テーブル  ３５２：受信バッファ  ３６０：基地局網ＩＦ部  ３６１：送信キュー  ３６２：優先送信キュー  ４１０：基地局網ＩＦ部  ４１１：送信キュー  
４１２：優先送信キュー  ４２０：パケット処理部  ４３０：制御部  ４３１：通信制御部  ４３２：バッファ算出部  ４３３：再送制御部  ４４０：記憶装置  ４４１：バッファ管理テーブル  ４４２：受信バッファ  ４４３：再送バッファ  ４５０：公衆網ＩＦ部  ４５１：送信キュー。
【図１】
2011015306.tif 000003
【図２】
2011015306.tif 000004
【図３】
2011015306.tif 000005
【図４】
2011015306.tif 000006
【図５】
2011015306.tif 000007
【図６】
2011015306.tif 000008
【図７】
2011015306.tif 000009
【図８】
2011015306.tif 000010
【図９】
2011015306.tif 000011
【図１０】
2011015306.tif 000012
【図１１】
2011015306.tif 000013
【図１２】
2011015306.tif 000014